(57)【要約】【課題】無駄な電力消費を低減する効果を高める。【解決手段】本発明の制御回路１３０は、送信パッケージ１１０と、送信パッケージ１１０から送信されてきた信号を受信部１２１にて受信する受信パッケージ１２０とともに用いられ、送信パッケージ１１０の信号の送信を制御する制御回路であって、受信部１２１からの信号の出力が正常であるか否かを判定する判定手段１３１と、判定手段１３１による判定結果に応じて送信パッケージ１１０からの信号の送信を制御する送信制御手段１３２と、を有する。【選択図】図１
2015170148.tif 000002
【特許請求の範囲】
【請求項１】
送信パッケージと、前記送信パッケージから送信されてきた信号を受信部にて受信する受信パッケージとともに用いられ、前記送信パッケージからの前記信号の送信を制御する制御回路であって、
前記受信部からの信号の出力が正常であるか否かを判定する判定手段と、
前記判定手段による判定結果に応じて前記送信パッケージからの信号の送信を制御する送信制御手段と、を有することを特徴とする制御回路。
【請求項２】
請求項１に記載の制御回路において、
前記送信パッケージは、制御端子を有し、該制御端子の電位に応じて信号の送信の有無を切り替え、
前記送信制御手段は、前記判定結果に応じて前記制御端子への電圧の供給の有無を切り替えるスイッチを有することを特徴とする制御回路。
【請求項３】
請求項２に記載の制御回路において、
前記スイッチは、ＭＯＳスイッチ、または、リレースイッチであることを特徴とする制御回路。
【請求項４】
請求項１から３のいずれか１項に記載の制御回路において、
前記制御回路は、前記送信パッケージまたは前記受信パッケージに設けられていることを特徴とする制御回路。
【請求項５】
送信パッケージと、
前記送信パッケージから送信されてきた信号を受信部にて受信する受信パッケージと、
前記受信部からの信号の出力が正常であるか否かを判定し、該判定の結果に応じて前記送信パッケージからの信号の送信の有無を制御する制御回路と、を有することを特徴とする情報処理装置。
【請求項６】
請求項５に記載の情報処理装置において、
前記送信パッケージは、制御端子を有し、該制御端子の電位に応じて信号の送信の有無を切り替え、
前記制御回路は、前記判定の結果に応じて前記制御端子への電圧の供給の有無を切り替えるスイッチを有することを特徴とする情報処理装置。
【請求項７】
請求項６に記載の情報処理装置において、
前記スイッチは、ＭＯＳスイッチ、または、リレースイッチであることを特徴とする情報処理装置。
【請求項８】
請求項５から７のいずれか１項に記載の情報処理装置において、
前記制御回路は、前記送信パッケージまたは前記受信パッケージに設けられていることを特徴とする情報処理装置。
【請求項９】
送信パッケージと、前記送信パッケージから送信されてきた信号を受信部にて受信する受信パッケージとともに用いられ、前記送信パッケージの前記信号の送信を制御する制御方法であって、
前記受信部からの信号の出力が正常であるか否かを判定し、
前記判定の結果に応じて前記送信パッケージからの信号の送信を制御することを特徴とする制御方法。
【発明の詳細な説明】
【技術分野】
【０００１】
本発明は、制御回路、情報処理装置、および、制御方法に関する。
【背景技術】
【０００２】
情報処理装置の中には、機能別に設けられた複数のパッケージが電源供給用のバックボードに実装された構成を有するものがある。このような構成では機能の追加がパッケージの増設により行われるので、情報処理装置の機能の拡張性を高めることができる。
上述した情報処理装置において、実装されたパッケージ間で信号が送受信されることがある。一般に、信号を送信する側のパッケージは、信号を生成する信号生成部と、生成した信号を送信する送信部とを有し、信号を受信する側のパッケージは、信号を受信する受信部と、受信した信号を処理する信号処理部とを有する。なお、以下では、信号を送信する側のパッケージを送信パッケージと称し、信号を受信する側のパッケージを受信パッケージと称する。
【０００３】
近年、情報処理装置の消費電力の増加が問題となっており、無駄な電力消費を低減する様々な技術が検討されている。
例えば、特許文献１（特開平１１−３０５８９４号公報）には、受信パッケージの実装の有無に応じて、送信パッケージの送信部である出力ドライバからの信号の送信を制御する技術が開示されている。
特許文献１に開示されている技術においては、出力ドライバからの信号の送信の制御はドライバ制御端子により行われる。ドライバ制御端子は、実装される受信パッケージ内の配線を介して接地されるように構成されるため、ドライバ制御端子の電位は、受信パッケージの実装の有無に応じて変化する。特許文献１に開示されている技術では、ドライバ制御端子の電位に応じて、出力ドライバからの信号の送信を制御している。
ここで、受信パッケージが何らかの理由により実装されていない場合には、対応する送信パッケージから信号を送信してもその信号は処理されず無駄となる。特許文献１に開示されている技術によれば、ドライバ制御端子の電位に応じて出力ドライバからの信号の送信を制御することで、受信パッケージが実装されていない場合には、対応する送信パッケージの送信部からの信号の送信を停止できるため、無駄な電力消費を低減することができる。
【先行技術文献】
【特許文献】
【０００４】
【特許文献１】特開平１１−３０５８９４号公報
【発明の概要】
【発明が解決しようとする課題】
【０００５】
受信パッケージが実装されていても、実装された受信パッケージが故障している場合には、対応する送信パッケージから送信される信号は処理されず無駄になるため、対応する送信パッケージからの信号の送信を停止することが望ましい。しかしながら、特許文献１に開示されている技術では、受信パッケージの実装の有無に応じて出力ドライバからの信号の送信を制御するため、受信パッケージが実装されていれば、その受信パッケージが故障していても、出力ドライバからの信号の送信は停止されず、無駄な電力を消費するという課題がある。
本発明の目的は、無駄な電力消費を低減する効果を高めることが可能な制御回路、情報処理装置、および、制御方法を提供することである。
【課題を解決するための手段】
【０００６】
上記目的を達成するために、本発明の制御回路は、
送信パッケージと、前記送信パッケージから送信されてきた信号を受信部にて受信する受信パッケージとともに用いられ、前記送信パッケージからの前記信号の送信を制御する制御回路であって、
前記受信部からの信号の出力が正常であるか否かを判定する判定手段と、
前記判定手段による判定結果に応じて前記送信パッケージからの信号の送信を制御する送信制御手段と、を有する。
【０００７】
上記目的を達成するために、本発明の情報処理装置は、
送信パッケージと、
前記送信パッケージから送信されてきた信号を受信部にて受信する受信パッケージと、
前記受信部からの信号の出力が正常であるか否かを判定し、該判定の結果に応じて前記送信パッケージからの信号の送信の有無を制御する制御回路と、を有する。
【０００８】
上記目的を達成するために、本発明の制御方法は、
送信パッケージと、前記送信パッケージから送信されてきた信号を受信部にて受信する受信パッケージとともに用いられ、前記送信パッケージの前記信号の送信を制御する制御方法であって、
前記受信部からの信号の出力が正常であるか否かを判定し、
前記判定の結果に応じて前記送信パッケージからの信号の送信を制御する。
【発明の効果】
【０００９】
本発明によれば、無駄な電力消費を低減する効果を高めることができる。
【図面の簡単な説明】
【００１０】
【図１】本発明の第１の実施形態の情報処理装置を示すブロック図である。
【図２】本発明の第２の実施形態の情報処理装置を示すブロック図である。
【図３】本発明の第３の実施形態の情報処理装置を示すブロック図である。
【発明を実施するための形態】
【００１１】
以下に、本発明を実施するための形態について図面を参照して説明する。
（第１の実施形態）
図１は、本発明の第１の実施形態の情報処理装置１００の構成を示すブロック図である。
情報処理装置１００は、送信パッケージ１１０と、受信パッケージ１２０と、制御回路１３０とを有する。
送信パッケージ１１０は、信号を受信パッケージ１２０に送信する。
受信パッケージ１２０は、受信部１２１と、信号処理部１２２とを有する。
受信部１２１は、送信パッケージ１１０から送信されてきた信号を受信し、受信した信号を信号処理部１２２に出力する。
信号処理部１２２は、受信部１２１から入力された信号を処理する。
制御回路１３０は、判定手段１３１と、送信制御手段１３２とを有する。
判定手段１３１は、受信部１２１からの信号の出力が正常であるか否かを判定する。
送信制御手段１３２は、判定手段１３１の判定結果に応じて送信パッケージ１１０からの信号の送信を制御する。
【００１２】
このように、本実施形態の情報処理装置１００における制御回路１３０は、受信部１２１からの信号の出力が正常であるか否かを判定する判定手段１３１と、判定手段１３１の判定結果に応じて送信パッケージ１１０からの信号の送信を制御する送信制御手段１３２とを有する。
受信部１２１が正常に動作しておらず、判定手段１３１が、受信部１２１からの信号の出力が正常でないと判定すると、送信制御手段１３２は、その判定結果に応じて送信パッケージ１１０からの信号の送信を停止させる。
そのため、受信パッケージ１２０が実装されていても、その受信部１２１が正常に動作していない場合には、送信パッケージ１１０からの信号の送信が停止されるので、情報処理装置１００における無駄な電力消費を低減することができる。
【００１３】
（第２の実施形態）
図２は、本発明の第２の実施形態の情報処理装置２００の構成を示すブロック図である。
情報処理装置２００は、バックボード２１０と、送信パッケージ２２０と、受信パッケージ２３０とを有する。
バックボード２１０は、複数のパッケージが実装可能であり、実装されたパッケージに対して電源の供給などを行なう。バックボード２１０には、送信パッケージ２２０および受信パッケージ２３０が実装されている。また、バックボード２１０に設けられた信号線２１１および制御線２１２を介して、送信パッケージ２２０と受信パッケージ２３０とが接続されている。
【００１４】
送信パッケージ２２０は、送信端子２２１と、制御端子２２２と、信号生成部２２３と、送信部２２４と、プルダウン抵抗２２５と、を有する。
送信端子２２１は、信号線２１１と接続されている。
制御端子２２２は、制御線２１２と接続されている。
信号生成部２２３は、信号を生成し、生成した信号を送信部２２４に出力する。
送信部２２４は、信号生成部２２３から出力された信号を送信端子２２１に出力する。送信部２２４から送信端子２２１に出力された信号は、信号線２１１を介して受信パッケージ２３０に送信される。また、送信部２２４は、制御端子２２２と接続されており、制御端子２２２の電位（制御電位）に基づいて信号の送信の有無を切り替える。具体的には、送信部２２４は、制御電位Ｖｃｏｎと予め記憶した閾値Ｖｔｈとを比較する。送信部２２４は、Ｖｃｏｎ＞Ｖｔｈである場合には信号を送信し、Ｖｃｏｎ≦Ｖｔｈである場合には信号の送信を停止する。
プルダウン抵抗２２５は、抵抗値がＲｄであり、一端が制御端子２２２および送信部２２４と接続され、他端が接地されている。
【００１５】
受信パッケージ２３０は、受信端子２３１と、電圧印加端子２３２と、受信部２３３と、信号処理部２３４と、制御回路２４０とを有する。
受信端子２３１は、信号線２１１と接続されている。
電圧印加端子２３２は、制御線２１２と接続されている。
受信部２３３は、送信パッケージ２２０から信号線２１１を介して送信されてきた信号を受信し、受信した信号を信号処理部２３４に出力する。
信号処理部２３４は、受信部２３３から出力された信号を処理する。
【００１６】
制御回路２４０は、判定手段２４１と、送信制御手段２４２とを有する。
判定手段２４１は、受信部２３３からの信号の出力が正常であるか否かを判定し、判定結果に応じたレベルの信号を送信制御手段２４２に出力する。
ここで、イーサネット（登録商標）規格に準拠した信号のように、信号が所定の規則性を有することがある。例えば、所定の規則性を有する信号がパッケージ間の送受信の対象となっている場合には、判定手段２４１は、受信部２２０から出力される信号が所定の規則性を有するか否かを判定し、その判定結果に基づいて受信部２２０からの信号の出力が正常であるか否かを判定する。
送信制御手段２４２は、ＭＯＳ（Ｍｅｔａｌ  Ｏｘｉｄｅ  Ｓｅｍｉｃｏｎｄｕｃｔｏｒ）スイッチ２４３と、プルアップ抵抗２４４と、定電圧源２４５とを有する。
ＭＯＳスイッチ２４３は、ＭＯＳトランジスタを用いた半導体スイッチであり、ソースには電圧印加端子２３２が接続され、ドレインにはプルアップ抵抗２４４の一端が接続され、ゲートには判定手段２４１が接続されている。
ここで、本実施形態においては、ＭＯＳスイッチ２４３には、ｎ型トランジスタが用いられているものとする。ＭＯＳスイッチ２４３にｎ型トランジスタが用いられている場合には、判定手段２４１は、受信部２３３からの信号の出力が正常であると判定すると、Ｈｉｇｈレベルの信号を出力する。Ｈｉｇｈレベルの信号が判定手段２４１から出力されることで、ＭＯＳスイッチ２４３はオンとなる。また、判定手段２４１は、受信部２３３からの信号の出力が正常でないと判定すると、Ｌｏｗレベルの信号を出力する。Ｌｏｗレベルの信号が判定手段２４１から出力されることで、ＭＯＳスイッチ２４３はオフとなる。
プルアップ抵抗２４４は、抵抗値がＲｕであり、一端がＭＯＳスイッチ２４３のドレインと接続され、他端が定電圧源２４５と接続されている。
定電圧源２４５は、電圧Ｖｃｃを供給する。
ＭＯＳスイッチ２４３がオンの場合には、制御電位Ｖｃｏｎは、定電圧源２４５と接続されたプルアップ抵抗２４４の他端と、接地されたプルダウン抵抗２２５の他端との電位との差、および、プルダウン抵抗２２５とプルアップ抵抗２４４との抵抗値の比により定まり、Ｖｃｃ×Ｒｄ／（Ｒｄ＋Ｒｕ）となる。
ここで、本実施形態においては、閾値Ｖｔｈ、プルダウン抵抗２２２の抵抗値Ｒｄ、プルアップ抵抗２４４の抵抗値Ｒｕ、および、定電圧源２４５の供給電圧Ｖｃｃは、Ｖｃｃ×Ｒｄ／（Ｒｄ＋Ｒｕ）＞Ｖｔｈとなるように、定められているものとする。
【００１７】
次に、受信部２３３が正常に動作している場合と、受信部２３３が正常に動作していない場合との、情報処理装置２００の動作の違いについて説明する。
受信部２３３が正常に動作している場合には、判定手段２４１は、受信部２３３からの信号の出力が正常であると判定し、Ｈｉｇｈレベルの信号を出力する。ＭＯＳスイッチ２４３は、ゲートにＨｉｇｈレベルの信号が入力されるとオンになる。
上述したように、ＭＯＳスイッチ２４３がオンの場合の制御電位Ｖｃｏｎは、Ｖｃｃ×Ｒｄ／（Ｒｄ＋Ｒｕ）である。また、Ｖｃｃ×Ｒｄ／（Ｒｄ＋Ｒｕ）＞Ｖｔｈとなるように、閾値Ｖｔｈ、抵抗値Ｒｄ，Ｒｕ、および、供給電圧Ｖｃｃが定められている。したがって、受信部２３３が正常に動作している場合には、Ｖｃｏｎ＞Ｖｔｈとなるので、送信部２２４は信号の送信を継続する。
一方、故障などで受信部２３３が正常に動作していない場合には、判定手段２４１は、受信部２３３からの信号の出力が正常でないと判定し、Ｌｏｗレベルの信号を出力する。ＭＯＳスイッチ２４３は、ゲートにＬｏｗレベルの信号が入力されるとオフになる。
ＭＯＳスイッチ２４３がオフになると、制御端子２２２は、定電圧源２４５から電気的に切り離される。そのため、制御電位Ｖｃｏｎは接地電位（ＧＮＤ）となる。したがって、受信部２３３が正常に動作していない場合には、Ｖｃｏｎ≦Ｖｔｈとなるので、送信部２２４は信号の送信を停止する。
【００１８】
なお、受信パッケージ２３０へ電源が供給されていない場合や、受信パッケージ２３０が実装されていない場合には、制御端子２２２は、定電圧源２４５から電気的に切り離され、制御電位ＶｃｃはＧＮＤとなる。したがって、Ｖｃｏｎ≦Ｖｔｈとなるので、送信部２２４は信号の送信を停止する。
【００１９】
このように、本実施形態の情報処理装置２００における制御回路２４０は、受信部２３３からの信号の出力が正常であるか否かを判定する判定手段２４１と、判定手段２４１の判定結果に応じて送信部２２４からの信号の送信の有無を制御する送信制御手段２４２とを有する。
判定手段２４１は、受信部２３３からの信号の出力が正常でないと判定すると、送信制御手段２４２は、判定手段１３１の判定結果に応じて、送信パッケージ２２０からの信号の送信を停止させる。したがって、受信部２３３が正常に動作しておらず、受信部２３３からの信号の出力が正常でない場合に、送信部２２４からの信号の送信は停止することで、無駄な電力消費を低減することができる。
また、本実施形態の情報処理装置２００においては、制御回路２４０が受信パッケージ２３０内に設けられることにより、情報処理装置２００の構成がより単純化され、製造コストを低減することができる。
【００２０】
（第３の実施形態）
図３は、本発明の第３の実施形態の情報処理装置３００の構成を示すブロック図である。
本実施形態の情報処理装置３００は、第２の実施形態の情報処理装置２００と比較して、受信パッケージ２３０が受信パッケージ３０１に変更されている点が異なる。受信パッケージ３０１は、受信パッケージ２３０と比較して、制御回路２４０が制御回路３０２に変更されている点が異なる。制御回路３０２は、制御回路２４０と比較して、判定手段２４１が判定手段３０３に変更されている点と、送信制御手段２４２が送信制御手段３０４に変更されている点とが異なる。送信制御手段３０４は、送信制御手段２４２と比較して、ＭＯＳスイッチ２４３がリレースイッチ３０５に変更されている点が異なる。なお、図３において、図２と同様の構成については同じ符号を付し、説明を省略する。
【００２１】
判定手段３０３は、受信部２３３からの信号の出力が正常であると判定し、その判定結果に応じて送信制御手段２４２への電圧の印加の有無を切り替える。
リレースイッチ３０５は、コイル部と、コイル部に流れる電流の有無に応じてオン、オフを切り替え可能なスイッチ部とを有し、スイッチ部のオン、オフに応じて、オンまたはオフとなる。リレースイッチ３０５のコイル部は、一端が判定手段３０３と接続され、他端が接地されている。また、リレースイッチ３０５のスイッチ部は、一端がプルアップ抵抗２４４の一端と接続され、他端が電圧印加端子２３２と接続されている。
本実施形態においては、リレースイッチ３０５は、コイル部の一端に電圧が印加されておらず、コイル部に電流が流れていない状態ではオンであり、コイル部の一端に電圧が印加され、コイル部に電流が流れるとオフとなるものとする。
受信部２３３が正常に動作している場合には、判定手段３０３は、受信部２３３からの信号の出力が正常であると判定し、リレースイッチ３０５のコイル部の一端に電圧を印加しない。リレースイッチ３０５は、コイル部の一端に電圧が印加されていなければ、コイル部に電流が流れていないため、オンの状態を継続する。リレースイッチ３０５がオンの状態であると、制御電位ＶｃｏｎはＶｃｃ×Ｒｄ／（Ｒｄ＋Ｒｕ）であり、Ｖｃｏｎ＞Ｖｔｈであるので、送信部２２４は信号の送信を継続する。
一方、故障などで受信部２３３が正常に動作していない場合には、判定手段３０３は、受信部２３３からの信号の出力が正常でないと判定し、リレースイッチ３０５のコイル部の一端に電圧を印加する。リレースイッチ３０５は、コイル部の一端に電圧が印加されると、コイル部に電流が流れ、オフになる。リレースイッチ３０５がオフになると、制御電位ＶｃｏｎはＧＮＤになり、Ｖｃｏｎ＞Ｖｔｈになるので、送信部２２４は信号の送信を停止する。
このように、本実施形態の情報処理装置３００は、判定手段３０３と、判定手段３０３の判定結果に応じて制御端子２２２への電圧の供給の有無を切り替えるリレースイッチ３０５を備える送信制御手段３０４とを有する制御回路３０２を備える。
一般に、トランジスタで構成されるＭＯＳスイッチは、大電流が流れると壊れることがある。一方、リレースイッチは、大電流が流れても壊れにくい。そのため、リレースイッチ３０４を用いることで、情報処理装置３００の信頼性を向上させることができる。
【００２２】
なお、第２および第３の実施形態においては、制御回路が受信パッケージ内に設けられている例を用いて説明したがこれに限られない。変形例として、制御回路は送信パッケージ内に設けられてもよい。
また、第１、第２および第３の実施形態においては、情報処理装置は、送信パッケージおよび受信パッケージを一つずつ有する例を用いて説明したがこれに限られない。変形例として、情報処理装置は、送信パッケージおよび受信パッケージの少なくともいずれか一方を複数有していてもよい。
【符号の説明】
【００２３】
１００，２００，３００    情報処理装置
１１０，２２０    送信パッケージ
１２０，２３０，３０１    受信パッケージ
１２１，２３３    受信部
１２２，２３４    信号処理部
１３０，２４０，３０２    制御回路
１３１，２４１，３０３    判定手段
１３２，２４２，３０４    送信制御手段
２１０    バックボード
２１１    信号線
２１２    制御線
２２１    送信端子
２２２    制御端子２２３    信号生成部
２２４    送信部
２２５    プルダウン抵抗
２３１    受信端子
２３２    電圧印加端子
２４３    ＭＯＳスイッチ
２４４    プルアップ抵抗
２４３    定電圧源
３０５    リレースイッチ
【図１】
2015170148.tif 000003
【図２】
2015170148.tif 000004
【図３】
2015170148.tif 000005